(57)【要約】      （修正有）【課題】非接触型ＩＣチップ搭載携帯電話の移動体通信機能および非接触通信機能を利用した可動性および携帯性に優れた出席確認システムを実現する。【解決手段】出席確認システムは，非接触型ＩＣチップ搭載携帯電話１１および非接触型ＩＣカード１４を含む。非接触型ＩＣカード１４には，その非接触型ＩＣカード１４の所有者の個人識別情報が記憶されている。非接触型ＩＣ搭載携帯電話１１は，非接触通信によって非接触型ＩＣカード１４に記憶されている個人識別情報を読み取る。読み取られた個人識別情報は出席確認情報として携帯電話１１に記憶される。【選択図】図１
2009157577.tif 000002
【特許請求の範囲】
【請求項１】
データ送受信が可能な非接触型ＩＣチップ搭載携帯電話，およびデータ送信が可能な非接触型ＩＣカードを含み，
上記非接触型ＩＣカードは，その非接触型ＩＣカードの所有者の個人識別情報を記憶した個人識別情報記憶手段を備えており，
上記非接触型ＩＣ搭載携帯電話は，
非接触通信によって上記非接触型ＩＣカードの個人識別情報記憶手段に記憶されている個人識別情報を読取る読取手段，および
上記読取手段によって読取られた個人識別情報を，出席確認情報の少なくとも一部として記憶する出席確認情報記憶手段を備えている，出席確認システム。
【請求項２】
サーバまたはパーソナル・コンピュータをさらに備え，
上記サーバまたはパーソナル・コンピュータは，
上記出席確認の対象となる複数の行事情報を記憶する行事情報記憶手段，および
上記行事情報記憶手段に記憶されている複数の行事情報を上記非接触型ＩＣチップ搭載携帯電話へ，移動体通信または非接触通信によって送信する送信手段を備えており，
上記非接触型ＩＣチップ搭載携帯電話は，
サーバまたはパーソナル・コンピュータの上記送信手段によって送信される複数の行事情報を受信し，受信した複数の行事情報のうちの一つの選択を受付ける選択手段，および
上記選択手段によって選択された行事情報を上記出席確認情報に含ませる編集手段を備えている，請求項１に記載の出席確認システム。
【請求項３】
上記非接触型ＩＣチップ搭載携帯電話は，上記出席確認情報記憶手段に記憶されている出席確認情報を，移動体通信または非接触通信によって送信する送信手段を備え，
上記サーバまたはパーソナル・コンピュータは，
上記非接触型ＩＣチップ搭載携帯電話の送信手段から送信される出席確認情報を受信する受信手段，および
上記受信手段によって受信された出席確認情報を記憶する出席確認情報記憶手段を備えている，請求項２に記載の出席確認システム。
【発明の詳細な説明】
【技術分野】
【０００１】
この発明は，非接触型ＩＣチップ搭載携帯電話を利用した，出席確認システムに関する。より詳細には，この発明は，例えば大学や専門学校などの教育機関で行われる授業や行事への出席状況，または団体行動となる旅行ツアーなどの行事への集合状況（これも本願において「出席」の一態様と考える）を確認または管理するための技術に関し，特に，非接触型ＩＣチップ搭載携帯電話によって，出席者の非接触型ＩＣカードの個人識別情報を読み取って出席を確認することにより，授業や行事などの出席（集合状況）の管理を行う技術に関する。
【背景技術】
【０００２】
従来の出席確認システムには，施設の入退出口などに据置型のカードリーダ／ライタ端末を取り付けておき，非接触型ＩＣカード，磁気カード，または生体情報の個人識別情報を読み取ることにより出席確認を行うものがある（たとえば，特許文献１）。また，ハンディ型のカードリーダ／ライタ端末で非接触型ＩＣカード，または磁気カードの個人識別情報を読み取ることにより出席確認を行うものがある。
【０００３】
従来の出席確認システムでは，据置型のカードリーダ／ライタ端末を用いる場合には持ち運びが困難であるとともに，カードリーダ／ライタ端末に蓄積した非接触型ＩＣカード情報をサーバへ転送するために，ＬＡＮまたはシリアル接続などの有線通信設備工事を行う必要がある。ハンディ型のカードリーダ／ライタ端末は持ち運びが可能であるが，使用者の服のポケットに入るほど小型ではないため，携帯して持ち歩くには不便であるとともに，蓄積した個人識別情報をサーバまたはパーソナル・コンピュータへ転送するための有線または無線通信装置を別途組み込む必要がある。
【特許文献１】特開２００７−２１３３７１号公報
【発明の開示】
【発明が解決しようとする課題】
【０００４】
この発明は，このような従来の構成が有していた問題を解決しようとするものであり，利用者のポケットに入るほどの小型化が実現されている非接触型ＩＣチップ搭載携帯電話の移動体通信機能および非接触通信機能を利用した可動性および携帯性に優れた出席確認システムを実現することを目的とするものである。
【課題を解決するための手段】
【０００５】
この発明の出席確認システムは，データの送受信が可能な非接触型ＩＣチップ搭載携帯電話，およびデータの送信が可能な非接触型ＩＣカードを含み，上記非接触型ＩＣカードは，その非接触型ＩＣカードの所有者の個人識別情報を記憶した個人識別情報記憶手段を備えており，上記非接触型ＩＣ搭載携帯電話は，非接触通信によって上記非接触型ＩＣカードの個人識別情報記憶手段に記憶されている個人識別情報を読み取る読取手段，および上記読取手段によって読み取られた個人識別情報を，出席確認情報の少なくとも一部として記憶する出席確認情報記憶手段を備えていることを特徴とする。
【０００６】
たとえば，非接触型ＩＣチップ搭載携帯電話に移動体通信によってダウンロードされた出席確認アプリ（プログラム）を起動することにより，その非接触型ＩＣチップ搭載携帯電話が，非接触型ＩＣカードに記憶されている個人識別情報を非接触通信によって読取ることができる出席確認端末として機能するようになる。出席を確認したいそのときに，場所を選ばずに出席確認を行うことができる。この明細書において，移動体通信とは，インターネット等のネットワークを利用して無線通信によってデータの送受信を行うことを意味する。非接触通信とはたとえば相互誘導（電磁誘導）を利用してデータの送受信（読取り，読出し）を行うことを意味する。非接触型ＩＣチップ搭載携帯電話は，移動体通信によってデータの送受信を行うとともに，非接触型ＩＣカードとの間で非接触通信によってデータの送受信を行う。非接触型ＩＣカードは，非接触型ＩＣチップ搭載携帯電話との間で非接触通信によってデータの送信を行う。非接触型ＩＣチップ搭載携帯電話に非接触型ＩＣカードが近づけられる（かざされる）と，非接触通信（たとえば相互誘導）によって，非接触型ＩＣカードに記憶されている個人識別情報が非接触型ＩＣチップ搭載携帯電話に送信される（読取られる）。非接触型ＩＣチップ搭載携帯電話の読取手段は，非接触型ＩＣカードに個人識別情報を送信させ，送信された個人識別情報を受信するための手段とも言える。
【０００７】
非接触型ＩＣカードの所有者が，どの行事に出席したのかを記録するために，非接触型ＩＣチップ搭載携帯電話の記憶手段に，あらかじめ出席確認対象行事情報を登録しておくとよい。たとえば，非接触型ＩＣチップ搭載携帯電話の使用者は，出席確認の対象となる行事情報を事前に選択または入力して，非接触型ＩＣチップ搭載携帯電話にかざされた非接触型ＩＣカードから読み取った個人識別情報に，選択または入力した出席確認対象行事情報（さらには出席確認日時）を付加したデータを，出席確認情報として，非接触型ＩＣチップ搭載携帯電話の記憶手段に記憶することができる。
【０００８】
一実施態様では，サーバまたはパーソナル・コンピュータから移動体通信または非接触通信によって送信（転送）される出席確認対象行事情報が，上記非接触型ＩＣチップ搭載携帯電話において受信される。この場合には，出席確認システムは，サーバまたはパーソナル・コンピュータをさらに備え，上記サーバまたはパーソナル・コンピュータは，上記出席確認の対象となる複数の行事情報を記憶する行事情報記憶手段，および上記行事情報記憶手段に記憶されている複数の行事情報を上記非接触型ＩＣチップ搭載携帯電話へ，移動体通信または非接触通信によって送信する送信手段を備えており，上記非接触型ＩＣチップ搭載携帯電話は，上記サーバまたはパーソナル・コンピュータの送信手段によって送信される複数の行事情報を受信して，受信された複数の行事情報のうちの一つの選択を受付ける選択手段，および選択手段によって選択された行事情報を上記出席確認情報に含ませる編集手段を備えている。非接触型ＩＣチップ搭載携帯電話が有している移動体通信機能および非接触通信機能を利用することにより，別途有線または無線通信装置を組み込むことなく，サーバからは移動体通信によって，または，パーソナル・コンピュータからはたとえば非接触通信によって，出席確認対象行事情報を転送し，利用者が任意の出席確認対象行事情報を選択できるので，どの行事を対象とした出席確認情報であるのかを記録することができる。
【０００９】
非接触型ＩＣチップ搭載携帯電話に蓄積された出席確認情報一覧を，サーバまたはパーソナル・コンピュータへ，移動体通信または非接触通信によって送信（転送）するようにしてもよい。この場合には，非接触型ＩＣチップ搭載携帯電話は，上記出席確認情報記憶手段に記憶されている出席確認情報を移動体通信または非接触通信によって送信する送信手段を備え，上記サーバまたはパーソナル・コンピュータは，上記非接触型ＩＣチップ搭載携帯電話から送信される出席確認情報を受信する受信手段，および上記受信手段によって受信された出席確認情報を記憶する出席確認情報記憶手段を備えたものとされる。携帯電話が有している移動体通信機能および非接触通信機能を利用することにより，別途有線または無線通信装置を組み込むことなく，サーバへは移動体通信によって，または，パーソナル・コンピュータへは非接触通信によって，出席確認情報を転送することができる。出席確認情報は，たとえば，出席確認対象行事情報，個人識別情報および出席確認日時の３つのデータ項目により構成することができる。
【００１０】
上述したようにこの発明によると，ポケットに入るほど小型化された非接触型ＩＣチップ搭載携帯電話を出席確認端末として利用できる，可動性および携帯性に優れた出席確認システムを提供できる。
【発明を実施するための最良の形態】
【００１１】
以下，この発明の実施の形態を図面に基づいて説明する。
【００１２】
図１は出席確認システムの全体構成図である。出席確認システムは，非接触型ＩＣチップ搭載携帯電話１１，サーバ１７，パーソナル・コンピュータ１８，および非接触型ＩＣカード１４を備えている。図２は，出席確認システムに用いられる非接触型ＩＣチップ搭載携帯電話１１および非接触型ＩＣチップ１４におけるデータ通信の様子および非接触型ＩＣチップ搭載携帯電話１１における処理を示している。
【００１３】
非接触型ＩＣチップ搭載携帯電話１１には，非接触型ＩＣチップ１２，第１の記憶領域（メモリ）２１Ａ，および第２の記憶領域（メモリ）２１Ｂが内蔵されている。第１の記憶領域２１Ａおよび第２の記憶領域２１Ｂは，別個のメモリであっても，１つのメモリの異なる領域であってもよい。もちろん，非接触型ＩＣチップ搭載携帯電話１１は，通話のためのマイクロフォンおよびスピーカ，番号等の入力のためのキーパッド，文字および画像の表示のための表示装置，データ通信および音声通信のための送受信装置等を備えたものであるのは言うまでもない。
【００１４】
非接触型ＩＣチップ搭載携帯電話１１の第１の記憶領域２１Ａには，出席確認対象行事情報一覧１５および出席確認情報一覧１６が記憶されている。
【００１５】
出席確認対象行事情報一覧１５は，複数の出席確認対象行事情報２２によって構成される。出席確認対象行事情報一覧１５は，サーバ１７の記憶装置またはパーソナル・コンピュータ１８の記憶装置に記憶されている。サーバ１７（またはサーバ１７に接続された他の機器）はデータの送受信装置（図示略）を備えている。パーソナル・コンピュータ１８には非接触型ＩＣカードリーダ／ライタ（図示略）が接続されている。サーバ１７からの移動体通信１９によって，または非接触型ＩＣカードリーダ／ライタ（図示略）が接続されたパーソナル・コンピュータ１８からの非接触通信２０によって，出席確認対象行事情報一覧１５が携帯電話１１へ転送され，携帯電話１１の第１の記憶領域２１Ａに記憶される。
【００１６】
出席確認情報一覧１６は複数の出席確認情報２６によって構成される。図４を参照して，出席確認情報２６は，出席確認対象行事情報２２，個人識別情報２３，および携帯電話の時計機能２５から取得する現在日時２４をひとまとまりにしたものである。
【００１７】
非接触型ＩＣチップ搭載携帯電話１１の第２の記憶領域２１Ｂには，出席確認アプリケーション・ソフトウェア（プログラム）１３が記憶されている（図２において第２の記憶領域２１Ｂの図示は省略されている）。出席確認アプリケーション・ソフトウェア１３は，たとえば，携帯電話１１にダウンロードされて使用される。
【００１８】
非接触型ＩＣカード１４には個人識別情報２３が記憶されている。図３に示すように，使用者２７の非接触型ＩＣチップ搭載携帯電話１１および出席者２８の非接触型ＩＣカード１４は，お互いを近づけることによって非接触通信２０のデータ通信を行う。非接触型ＩＣチップ搭載携帯電話１１に非接触型ＩＣカード１４が近づけられると，相互誘導（電磁誘導）によって非接触型ＩＣチップ搭載携帯電話１１の非接触型ＩＣチップ１２が非接触型ＩＣカード１４に記憶されている個人識別情報２３を読み取る。すなわち，非接触型ＩＣチップ搭載携帯電話１１の非接触型ＩＣチップ１２は，非接触型ＩＣカード１４が近づけられるとＩＣカード１４に対して電力用電波信号を送信し，この電力用電波信号によってＩＣカード１４に動作電力を供給して動作可能な状態にする。これに応じて，ＩＣカード１４から携帯電話１１に個人識別情報２３が送信される。なお，出席確認待機中の出席者２９がいる場合には，連続して非接触通信２０によってデータ通信が行われる。
【００１９】
図２を参照して，携帯電話１１の所有者によって選択される出席確認対象行事一覧１５のうちの一つの出席確認対象行事情報２２と，非接触型ＩＣカード１４から読取られた個人識別情報２３と，携帯電話１１の時計機能２５において計時されている現在の年月日および時分秒とは，出席確認アプリケーション・ソフトウェア１３によってひとまとまりにされて出席確認情報２６が生成される。生成された出席確認情報２６は，出席確認情報一覧１６に蓄積される。
【００２０】
図１を参照して，携帯電話１１に記憶されている出席確認情報一覧１６は，携帯電話１１からサーバ１７またはパーソナル・コンピュータ１８へ転送される。サーバ１７またはパーソナル・コンピュータ１８の記憶装置に，携帯電話１１から転送された出席確認情報一覧１６が記憶される。
【００２１】
以下，図５を参照して，携帯電話１１の処理の流れを詳細に説明する。
【００２２】
はじめに，非接触型ＩＣチップ１２を搭載した非接触型ＩＣチップ搭載携帯電話１１に，出席確認アプリケーション・ソフトウェア１３がダウンロードされる。ダウンロードされた出席確認アプリケーション・ソフトウェア１３は，携帯電話１１の第２の記憶領域２１Ｂに記憶される。
【００２３】
携帯電話１１の使用者は，出席確認アプリケーション・ソフトウェア１３を起動して，サーバ１７またはパーソナル・コンピュータ１８の記憶装置に記憶されている出席確認対象行事情報一覧１５の転送を要求する。すると，サーバ１７またはパーソナル・コンピュータ１８から出席確認対象行事情報一覧１５が携帯電話１１に転送される。転送された出席確認対象行事情報一覧１５は，非接触型ＩＣチップ搭載携帯電話１１の第１の記憶領域２１Ａに記憶される（ステップ31）。使用者は，出席確認を行う前に，携帯電話１１に転送された出席確認対象行事情報一覧１５のなかから，これから出席を確認しようとしている出席確認対象行事情報２２を選択する（ステップ32）。たとえば，受信した出席確認対象行事情報一覧１５に基づいて複数の出席確認対象行事情報２２（文字列など）が携帯電話１１の表示画面上に表示され，そのうちの一つが携帯電話１１の使用者によって，たとえばキー・パッドが用いられて選択される。
【００２４】
非接触通信２０による非接触型ＩＣカード１４の捕捉が開始される（ステップ33）。出席者が，非接触型ＩＣカード１４を携帯電話１１に近づけると，出席者の非接触型ＩＣカード１４に登録されている個人識別情報２３が携帯電話１１によって読取られる（ステップ34でＮＯ，ステップ35）。読取られた個人識別情報２３は，出席確認アプリケーション・ソフトウェア１３によって，事前に携帯電話１１の利用者が選択した出席確認対象行事情報２２および携帯電話１１の時計機能２５から取得される現在日時２４とひとまとまりとされて（出席確認情報２６の編集）（図４参照）（ステップ36，ステップ37），携帯電話１１の第１の記憶領域２１Ａに，出席確認情報一覧１６として蓄積される（ステップ38）。
【００２５】
出席確認待機中の出席者２９がいる場合には，連続して上述の処理が行われる（ステップ33〜ステップ38）。
【００２６】
出席者２９の非接触ＩＣカード１４からの個人識別情報２３の読取りが終了し，出席者２９についての出席確認情報２６の編集および出席確認情報一覧１６への蓄積を終えると，携帯電話１１の利用者は，出席確認アプリケーション・ソフトウェア１３に終了の指示を行う（たとえば，出席確認アプリケーション・ソフトウェア１３の実行の終了の入力）。すると，出席確認アプリケーション・ソフトウェア１３は，携帯電話１１の第１の記憶領域２１Ａに蓄積された出席確認情報一覧１６を，サーバ１７またはパーソナル・コンピュータ１８に，移動体通信１９または非接触通信２０によって転送した後，処理を終了する（ステップ34でＹＥＳ，ステップ39）。サーバ１７またはパーソナル・コンピュータ１８の記憶装置に，携帯電話１１から転送された出席確認情報一覧１６が記憶される（図１参照）。
【産業上の利用可能性】
【００２７】
この発明の出席確認システムによって，出席者が非接触型ＩＣカードを使用者の非接触型ＩＣチップ搭載携帯電話にかざすことにより，大学や専門学校などの授業または団体行動となる旅行ツアーなどの行事の出席状況，集合状況の確認または管理を，据置型またはハンディ型のカードリーダ／ライタ端末を用意しておかなくとも，いつでもどこでも行えるようになる。
【図面の簡単な説明】
【００２８】
【図１】出席確認システムの全体構成を示すブロック図である。
【図２】出席確認システムの出席確認アプリケーション・ソフトウェアが出席確認情報を生成する様子を示す。
【図３】出席確認システムの利用者および出席者による利用の様子を示す。
【図４】出席確認システムが生成する出席確認情報のデータ構造を示す。
【図５】出席確認アプリケーション・ソフトウェアの処理の流れを示すフローチャートである。
【符号の説明】
【００２９】
１１  非接触型ＩＣチップ搭載携帯電話
１２  非接触型ＩＣチップ
１３  出席確認アプリケーション・ソフトウェア
１４  非接触型ＩＣカード
１５  出席確認対象行事情報一覧
１６  出席確認情報一覧
１７  サーバ
１８  パーソナル・コンピュータ
１９  移動体通信（網）
２０  非接触通信
２１Ａ，２１Ｂ  記憶領域
２２  出席確認対象行事情報
２３  個人識別情報
２４  出席確認日時
２５  時計機能
２６  出席確認情報
【図１】
2009157577.tif 000003
【図２】
2009157577.tif 000004
【図３】
2009157577.tif 000005
【図４】
2009157577.tif 000006
【図５】
2009157577.tif 000007